(57)【要約】【課題】従来の捕獲装置は、電力源として市販の大出力のバッテリーを用いていたので、捕獲時期の１シーズン中に少なくとも１回は充電（交換）しなければならない点、充電のためにバッテリーだけを持ち運ぶのが困難である点、を解消する。【解決手段】野生動物捕獲装置１は、野生動物を捕獲する捕獲設備２と、この捕獲設備２に設けた捕獲機構３とを備え、捕獲機構３を駆動させるためのエアボンベ４と、このエアボンベ４及び全体を作動させるための制御部６に電力を供給する乾電池又は充電式の乾電池を電力源とする低電力装置７と、を備える。【選択図】図１
2013051895.tif 000002
【特許請求の範囲】
【請求項１】
野生動物を捕獲する捕獲装置であって、野生動物を捕獲する捕獲設備と、この捕獲設備に設けた捕獲機構とを備え、前記捕獲機構を駆動させるためのエアボンベと、このエアボンベ及び全体を作動させるための制御部に電力を供給する乾電池又は充電式の乾電池を電力源とする低電力装置と、を備えたことを特徴とする野生動物捕獲装置。
【発明の詳細な説明】
【技術分野】
【０００１】
本発明は、低電力で長期かつ継続的に動作させることができると共に、電力補給が容易な野生動物捕獲装置に関するものである。
【背景技術】
【０００２】
野生動物による農作物被害は全国的に深刻化している。野生動物による農作物被害の軽減は、農山村地域社会の活力低下の阻止や昨日回復に貢献するだけでなく、都道府県や市町村の農業被害対策に対する経済的負担を軽減する意味においても極めて重要である。
【０００３】
野生動物による農作物被害に対しては様々な対策がされているが、中でも捕獲駆除対策は、被害を出す動物の生息数を直接減らすことができるため、問題の根本的な除去に繋がる場合が多い。この捕獲駆除対策の代表例としては、檻や網などの捕獲装置を用いた捕獲がある。
【０００４】
捕獲装置とは、対象とする動物が箱状の構造物あるいは金網等による囲いに入り、鋼線や踏み板などを何らかの仕掛けに触れるかあるいは踏むことによって、侵入口が閉じられて捕獲が行われるものである。
【０００５】
しかし一方で、既存の捕獲装置では、捕獲者の経験や勘に頼らなければ効率的な捕獲ができていないのが現状である。そこで、最近では、通過センサーや映像センサーなどのセンサーを利用して、無人で電子的に檻の扉を落下させたり綱わなを落下させるなどの方法が採用されるようになってきた。
【０００６】
上記のセンサーを用いた捕獲装置として、本願発明者等は既に、以下の特許文献１の開発している。
【先行技術文献】
【特許文献】
【０００７】
【特許文献１】特願２０１０−２５８３１号
【０００８】
特許文献１の捕獲装置は、野生動物を捕獲する捕獲設備と、この捕獲設備の捕獲可能域に侵入した野生動物を撮像する撮像装置と、撮像装置の撮像データに基づき保護種の動物データと比較して保護種動物又は非保護動物を識別する識別手段と、識別手段の識別結果に基づき、捕獲設備による捕獲実行の有無を決定する捕獲決定手段とを備えることを特徴としている。
【０００９】
しかしながら、特許文献１は、無人で効率的に非保護野生動物の捕獲が可能であるが、さらなる改良余地があった。すなわち、例えば捕獲する野生動物が比較的大きい場合は、それ相応の捕獲設備を要することとなり、この結果、檻の扉や綱わなもまたその捕獲動物に応じた頑丈で強固かつ重量のあるものが必要となる。
【００１０】
特許文献１は、非保護野生動物を捕獲する際には識別手段に基づいて捕獲決定手段から、捕獲設備における例えば侵入口を閉じる扉を落下させる機構や綱わなを落下させる機構を作動させる信号を出力し、この信号により該扉や該綱わなを落下させるストッパーやロープを電気的に駆動させる。よって、特許文献１を含む従来のほとんどの捕獲装置は、頑丈で強固かつ重量のある檻の扉や綱わなを駆動させる機構に電力を供給する比較的大きな出力の電力源が必要となる。
【００１１】
電力源としては家庭用電源を使用できればよいが、野生動物を捕獲する山野などで家庭用電源と接続できることはほとんどなく、概ね持ち運び可能なバッテリーを電力源とすることとなる。バッテリーはエンジン型の発電機では騒音によって捕獲する野生動物に警戒されるので、市販されている蓄電池式のバッテリーが用いられることになる。
【００１２】
捕獲装置の設置箇所近辺に持ち込んだバッテリーは、捕獲装置を設置した状態でしばらく放置することになるが、放置中にもバッテリーが自然放電してしまうため、定期的に充電をするか、バッテリーを交換する必要がある。
【００１３】
すなわち、従来では、捕獲装置を例えば野生動物の捕獲時期である１シーズンを継続的に設置する場合、大出力の市販のバッテリーでは少なくとも１回はバッテリーを充電（交換）する必要があり、該捕獲設備の設置箇所である山野から、バッテリーを充電するために（充電されたバッテリーと交換して）持ち帰る際には非常に重量がありかつ比較的大きいバッテリーを持ち運ぶのが重労働となっていた。
【００１４】
特に山野で野生動物を捕獲する農産林業者が近年では高齢化していることもあり、高齢者にとってそのように重くて大きいバッテリーを車や台車を用いることができない山中に持ち運ぶことは現実的に困難になりつつある。
【発明の概要】
【発明が解決しようとする課題】
【００１５】
以上の背景から、本発明が解決しようとする課題は、従来の捕獲装置は、電力源として、市販の大出力のバッテリーを用いていたので、例えば捕獲時期の１シーズン中に少なくとも１回は充電（交換）しなければならない点、このとき充電のためにバッテリーだけを捕獲装置の設置箇所である山野から充電可能な例えば家庭用電源のあるところまで移動させるのが困難である点、である。
【課題を解決するための手段】
【００１６】
本発明の野生動物捕獲装置は、野生動物を捕獲する捕獲設備と、この捕獲設備に設けた捕獲機構とを備え、前記捕獲機構を駆動させるためのエアボンベと、このエアボンベ及び全体を作動させるための制御部に電力を供給する乾電池又は充電式の乾電池を電力源とする低電力装置と、を備えたことを最も主要な特徴とする。
【発明の効果】
【００１７】
本発明は、檻や綱わなといった捕獲機構を駆動させるためにエアボンベを採用すること、さらにはエアボンベ及び全体を作動させるための制御部が低電力装置にて駆動する構成としていること、により捕獲機構の駆動のための消費電力が抑制されて長期に亘って、１シーズン中にほぼ低電力装置に対して電力補給（充電や交換）せずに使用することができるという利点がある。
【００１８】
また、低電力装置として乾電池や充電式の乾電池を採用することで、野生動物捕獲装置を山野にて長期に亘って設置したままであって、仮に低電力装置の電力不足が懸念される状況にあっても、乾電池や充電式の乾電池を取り替えるだけでよいので、従来のように重くて大きいバッテリーを持ち運ぶ必要がないという利点もある。
【図面の簡単な説明】
【００１９】
【図１】図１は、本発明の野生動物捕獲装置の概略構成図である。
【図２】図２は、本発明の野生動物捕獲装置におけるエアボンベ及び捕獲機構周辺の構成を示す図である。
【発明を実施するための形態】
【００２０】
本発明は以下の形態により実施可能である。図１には、本発明の概略構成図を示す。本発明の野生動物捕獲装置１は、野生動物を捕獲する捕獲設備２と、この捕獲設備２に設けた捕獲機構３とを備えている。
【００２１】
また、野生動物捕獲装置１は、捕獲機構３を駆動させるためのエアボンベ４と、捕獲設備２に捕獲すべき野生動物が侵入したか否かを検知するセンサ５に基づいて全体を制御する制御部６と、制御部６及びセンサ５に対して電力を供給する乾電池又は充電式の乾電池を電力源とする低電力装置７とを備えている。
【００２２】
捕獲設備２は、例えば鉄格子で形成され、側面のうちの１面もしくは２面が上方から落下する扉とされた檻、あるいは木や金属棒などに釣り下げた網を落下させる綱わな、のように野生動物を捕獲するための設備であれば特に限定しない。
【００２３】
捕獲機構３は、例えば上記檻であれば扉を落下させるための機構、例えば綱わなであれば該綱わなを落下させるための機構、など捕獲設備２において野生動物を具体的に捕獲するための機構であり、該捕獲設備２の構成に準じて特に限定しないが、本発明においてはエアボンベ４の動力にて作動することが条件となる。
【００２４】
すなわち、エアボンベ４は制御部６からの信号（図１においては実線、なお破線は電力線）により開閉する電磁弁４Ａが設けられている。エアボンベ４は電磁弁４Ａが開くと該エアボンベ４内の圧縮空気を捕獲機構３の構成の一部として有するエアシリンダ３Ａ内へ噴出する。エアシリンダ３Ａ内に噴出された圧縮空気は、この噴出圧力によりピストンロッド３Ｂをエアシリンダ３Ａから押し出す。
【００２５】
このピストンロッド３Ｂの推力により、例えば檻における扉を開状態で上方に維持するストッパー、又は綱わなを上方で維持するストッパーを解除し、これにより扉や綱わなが落下する。したがって、捕獲機構３は、エアボンベ４の圧縮空気を動力源としたエアシリンダ３Ａにおけるピストンロッド３Ｂの推力で作動する構成が具体的な条件となる。
【００２６】
センサ５は、捕獲設備２の設置範囲に野生動物が侵入したことを検知してその旨の信号を制御部６へ出力するものであれば特に限定しないが、本発明においては制御部６及び電磁弁４Ａを含め、センサ５もまた低電力装置７により、つまり一定時間継続的に動作する省電力のものを採用することが条件となる。
【００２７】
本発明における低電力装置７は、市販の乾電池、市販の乾電池の代用可能な充電式の乾電池を用いる。つまり低電力装置７は、工事や土木作業、農山林作業で用いるような屋外型のバッテリーに較べて極めて小さくかつ低電力のものとなる。したがって、センサ５の構成に関しても低電力で継続的に動作することが条件となる。
【００２８】
センサ５は、捕獲設備２の設置範囲に野生動物が侵入したことを検知する他、上記のとおり低電力装置７の消費電力を抑制するために、該検知までは必要最低限の微電力消費で全体を待機させ、該検知時に全体をオンにするという機能も有している。
【００２９】
制御部６は、上記センサ５による移動物体の検知信号に基づいて全体を待機状態（微電力消費状態）からオン状態（通常電力消費状態）に復帰させる信号を発したり、オン状態時においてセンサ５から捕獲設備２に野生動物が侵入した旨の信号に基づいて電磁弁４Ａを閉から開にする信号を発したり、これらの反対の実行信号を発するようプログラムされている。
【００３０】
以上説明したとおり、本発明の野生動物捕獲装置１は、低電力装置７を備えること及び低電力で作動しかつ小型で軽く、また大きな動力を発生させることのできるエアボンベ４を備えることで、捕獲設備２自体を除く重量に関しては、小型軽量化が可能となる。
【００３１】
また、本発明の野生動物捕獲装置１は、捕獲機構３にエアボンベ４の電磁弁４Ａを用いたりセンサ５により待機時の消費電力を抑制したり、制御部６自体の消費電力を抑制する設計とすることで、低電力装置７を交換（充電）する必要なく、長期に亘って継続的に山野に設置しておくことが可能となる。
【００３２】
そして、本発明の野生動物捕獲装置１は、低電力装置７に乾電池又は充電式の乾電池を採用することで、仮に１シーズン中で交換を要するとしても、乾電池や充電式の乾電池は高齢者であっても十分に携帯可能であると共に、持ち運びが簡便かつ容易であるので、従来のように重くて大きなバッテリーを持ち運ぶ必要がなくなり、高齢の作業者であっても保守作業が容易となる。
【実施例１】
【００３３】
以下に、本発明の野生動物捕獲装置１の動作確認試験の結果を示す。
構成及び試験条件は次のとおりである。
低電力装置７は、１．５Ｖの乾電池を４本用いて出力６Ｖの構成とした。
エアボンベ４は、常温換算で約６０気圧で容量が１０ｇの炭酸ガスボンベを用いた。
捕獲機構３及び捕獲設備２は、１０ｋｇの檻の扉をエアシリンダ３Ａのピストンロッド３Ｂにより落下させて閉じる構成とした。
【００３４】
上記条件で、何回檻の扉を落下させることができるかを確認したところ、１０回以上の繰り返しの落下動作が可能であることが確認できた。なお、どの程度の重量の扉を落下させることができるかも併せて確認したところ、３０ｋｇの扉も落下動作が可能であった。  
【００３５】
このことから、単純計算で野生動物が出没する１シーズンで３，４回捕獲するとしても１シーズン中は低電力装置７の乾電池を交換することなく継続的に使用できることが判った。
【００３６】
また、構成が簡素化されているため、上記のように保守作業としては捕獲した野生動物の処分や捕獲設備２における例えば檻の扉を再度上方に戻すなどの作業の他には、乾電池を取り替えるだけでよく、山野における設置及び撤去も容易で、高齢の作業者の負担はかなり軽減することが判った。
【符号の説明】
【００３７】
１  野生動物捕獲装置
２  捕獲設備
３  捕獲機構
４  エアボンベ
５  センサ
６  制御部
７  低電力装置
【図１】
2013051895.tif 000003
【図２】
2013051895.tif 000004